(57)【要約】【課題】ディスク状記憶媒体に記録されている情報を再生したりするディスク記録再生装置において、ディスクにレーベル印刷可能な印刷機構を設けるとともに、ユーザが所望のレーベルを作成するのを効率よく支援できるディスク記録再生装置を提供する。【解決手段】ディスク記録再生装置において、ディスク状記憶媒体の印刷面（データ記録面の反対面）に印刷を行う印刷手段（プリンタ）と、印刷手段により印刷する印刷データを生成する印刷データ生成手段と、印刷データ生成手段により生成された印刷データに基づいて、印刷手段の制御を行う印刷制御手段と、を備え、印刷データ生成手段は、ディスク状記憶媒体に記録されている動画像データから抽出されディスク状記憶媒体の印刷可能領域に対応した印刷範囲で切り出された静止画像データと、文字データと、を合成して印刷データを生成するようにした。【選択図】図４
2007317327.tif 000002
【特許請求の範囲】
【請求項１】
ディスク状記憶媒体への情報の記録、及び前記ディスク状記憶媒体に記録された情報の再生が可能なディスク記録再生装置において、
前記ディスク状記憶媒体の印刷面に印刷を行う印刷手段と、
前記印刷手段により印刷する印刷データを生成する印刷データ生成手段と、
前記印刷データ生成手段により生成された印刷データに基づいて、前記印刷手段の制御を行う印刷制御手段と、
前記印刷データ生成手段により生成された印刷データを前記ディスク状記憶媒体のタイトル情報と関連づけて記憶可能な記憶手段と、を備え、
前記印刷データ生成手段は、前記ディスク状記憶媒体に記録されている動画像データから抽出され前記ディスク状記憶媒体の印刷可能領域に対応した印刷範囲で切り出された静止画像データと、タイトル情報としての文字データと、を合成して前記印刷データを生成可能であり、
前記印刷制御手段は、装着されたディスク状記憶媒体のタイトル情報を当該記憶媒体より読み出し、前記記憶手段を検索して当該タイトル情報が前記記憶手段に記録されている場合は、該タイトル情報に関連づけて前記記憶手段に記憶されている印刷データに基づいて前記装着されたディスク状記憶媒体に印刷を行うことを特徴とするディスク記録再生装置。
【請求項２】
ディスク状記憶媒体への情報の記録、及び前記ディスク状記憶媒体に記録された情報の再生が可能なディスク記録再生装置において、
前記ディスク状記憶媒体の印刷面に印刷を行う印刷手段と、
前記印刷手段により印刷する印刷データを生成する印刷データ生成手段と、
前記印刷データ生成手段により生成された印刷データに基づいて、前記印刷手段の制御を行う印刷制御手段と、を備え、
前記印刷データ生成手段は、前記ディスク状記憶媒体に記録されている動画像データから抽出され前記ディスク状記憶媒体の印刷可能領域に対応した印刷範囲で切り出された静止画像データと、文字データと、を合成して前記印刷データを生成可能であることを特徴とするディスク記録再生装置。
【請求項３】
前記静止画像データを設定可能であるとともに、前記文字データを入力可能な入力手段を備えることを特徴とする請求項２に記載のディスク記録再生装置。
【請求項４】
前記文字データは、前記ディスク状記憶媒体のタイトル情報であることを特徴とする請求項２又は３に記載のディスク記録再生装置。
【請求項５】
前記印刷データ生成手段により生成された印刷データを前記ディスク状記憶媒体のタイトル情報と関連づけて記憶可能な記憶手段を備え、
前記印刷制御手段は、装着されたディスク状記憶媒体のタイトル情報を当該記憶媒体より読み出し、前記記憶手段を検索して当該タイトル情報が前記記憶手段に記録されている場合は、前記記憶手段に該タイトル情報に関連づけて記録されている印刷データに基づいて前記装着されたディスク状記憶媒体に印刷を行うことを特徴とする請求項２から４の何れかに記載のディスク記録再生装置。
【発明の詳細な説明】
【技術分野】
【０００１】
本発明は、ＤＶＤ等のディスク状記憶媒体に情報を記録したり、ディスク状記憶媒体に記録されている情報を再生したりするディスク記録再生装置に関し、特に、ディスク状記憶媒体の印刷面に所望の画像を印刷可能なディスク記録再生装置に関する。
【背景技術】
【０００２】
従来、ＣＤ（コンパクト・ディスク）やＤＶＤ（ディジタル・バーサタイル・ディスク）などのディスク状記憶媒体においては、片方の面は情報の記録や読み出しを行う記録面として使用され、他方の面は一般にタイトルなどを印刷する印刷面として使用される。
【０００３】
例えば、ユーザが所望のデータをＤＶＤ?Ｒに記録した場合に有効な技術として、当該ＤＶＤ?Ｒに記録したデータの内容を認識しやすいように、記録されているデータに関連するレーベルを生成しＤＶＤ?Ｒの印刷面に印刷するようにした画像記録装置（プリンタ装置）が提案されている（例えば、特許文献１，２）。
【０００４】
ここで、上記先願技術では、ディスク状記憶媒体の印刷面に所望のレーベルを印刷する場合、印刷する画像データをパーソナルコンピュータ等で編集し、該パーソナルコンピュータに接続されたプリンタ装置にディスク状記憶媒体を装着して前記画像データに基づいてレーベル印刷するようにしている。
【０００５】
一方、パーソナルコンピュータ等を用いることなくディスク状記憶媒体へのレーベル印刷ができるように、印刷対象となる文字或いは画像等の印刷データをディスクの印刷面へ印刷可能な印刷機構を備えたディスク装置が提案されている（特許文献３）。
【０００６】
【特許文献１】特開２００５−３２７４１６号公報
【特許文献２】特開２００３−３１６５３３号公報
【特許文献３】特開２００４−０７４６６６号公報
【発明の開示】
【発明が解決しようとする課題】
【０００７】
しかしながら、上記特許文献１、２に記載の技術では、パーソナルコンピュータと光ディスクのレーベル印刷が可能なプリンタ装置を用意する必要があり、ユーザは手軽にレーベル印刷を行うことができない。また、ディスクレーベル作成用のソフトを使用しなければ、印刷データを作成することも容易ではない。
【０００８】
また、上記特許文献３に記載の技術では、ディスク装置に印刷機構を設けるようにしているのでレーベル印刷は比較的容易となるが、ディスクに記録されている映像データを抽出してレーベル印刷するだけであり、ユーザが所望のレーベルを作成するのは容易とはいえない。
【０００９】
本発明は、ディスク状記憶媒体に情報を記録したり、記録されている情報を再生したりするディスク記録再生装置において、ディスク状記憶媒体の印刷面にレーベル印刷可能な印刷機構を設けるとともに、ユーザが所望のレーベルを作成するのを効率よく支援できるディスク記録再生装置を提供することを目的とする。
【課題を解決するための手段】
【００１０】
本発明は、上記目的を達成するためになされたもので、ディスク状記憶媒体（光ディスク）への情報の記録、及び前記ディスク状記憶媒体に記録された情報の再生が可能なディスク記録再生装置において、前記ディスク状記憶媒体の印刷面（データ記録面の反対面）に印刷を行う印刷手段（プリンタ）と、前記印刷手段により印刷する印刷データを生成する印刷データ生成手段と、前記印刷データ生成手段により生成された印刷データに基づいて、前記印刷手段の制御を行う印刷制御手段と、を備え、前記印刷データ生成手段は、前記ディスク状記憶媒体に記録されている動画像データから抽出され前記ディスク状記憶媒体の印刷可能領域に対応した印刷範囲で切り出された静止画像データと、文字データと、を合成して前記印刷データを生成可能であることを特徴とする。
【００１１】
また、前記静止画像データを設定可能（例えば、再生中の所望の場面のキャプチャ、印刷範囲の設定）であるとともに、前記文字データを入力可能な入力手段を備えるようにした。例えば、リモコン装置のカーソルキー等を用いて、印刷範囲を上下左右に移動させて設定したり、ソフトキーボードから文字データを入力したりできるようにする。これにより、ディスク状記憶媒体の印刷可能領域はドーナツ型であり、再生映像の全領域をレーベルとして印刷することはできないが、ユーザが所望する画像を容易に設定することができる。
【００１２】
また、前記文字データは、前記ディスク状記憶媒体のタイトル情報であるようにした。つまり、レーベル印刷される文字データとしては、ディスク状記憶媒体に記録されている番組のタイトルが考えられるので、ディスク状記憶媒体にタイトル情報が記録されている場合は、このタイトル情報をレーベル印刷するときの文字データとして利用できるようにした。これにより、ユーザはレーベル印刷用に文字データを入力しなくても、容易に番組のタイトルをレーベル印刷させることができる。
【００１３】
さらに、前記印刷データ生成手段により生成された印刷データを前記ディスク状記憶媒体のタイトル情報と関連づけて記録可能な記憶手段を備え、前記印刷制御手段は、装着されたディスク状記憶媒体のタイトル情報を当該機奥媒体から読み出し、前記記憶手段を検索して当該タイトル情報が前記記憶手段に記録されている場合は、前記記憶手段に該タイトル情報に関連づけて記録されている印刷データに基づいて前記装着されたディスク状記憶媒体に印刷を行うようにした。例えば、同じ番組（例えば、ドラマ等）が記録されているディスク状記憶媒体には、同じレーベルを印刷した方が好ましい場合があるので、これに対応できるようにした。このとき、背景となる画像データだけを同じにし、文字データだけを変更できる（例えば、ドラマの第○話だけを変更する）ようにしてもよい。
【発明の効果】
【００１４】
本発明によれば、ディスク記録再生装置にレーベル印刷可能な印刷機構を設け、また、ディスク状記憶媒体に記録されている動画像データから抽出されディスク状記憶媒体の印刷可能領域に対応した印刷範囲で切り出された静止画像データと、文字データと、を合成してレーベル印刷に用いる印刷データを生成するようにしたので、ユーザは所望のレーベルを容易に作成することができるとともに、レーベル印刷によりディスク状記憶媒体に記録された情報（番組）を容易に認識することができる。
【発明を実施するための最良の形態】
【００１５】
以下、本発明の実施の形態について図面を参照して説明する。図１は、本発明に係る情報録画再生装置の一実施形態としてのＤＶＤ（Digital Versatile Disc）レコーダのブロック図で、図２はＤＶＤレコーダ１００の外観図である。
【００１６】
本実施形態のＤＶＤレコーダ１００は、チューナブロック１０と、操作スイッチ１１と、表示部１２と、ＤＶＤドライブ１３と、ＡＶエンコーダ１４と、エンコード用メモリ１５と、ビデオデコーダ１６と、オーディオデコーダ１７と、プリンタ１８と、印刷データ用メモリ１９と、制御部２０と、を備えて構成されており、各ブロックはバス３０を介してそれぞれ電気的に接続されている。
【００１７】
チューナブロック１０は、アンテナを介して所望のチャンネルに対応するディジタル／アナログテレビジョン放送信号を受信するとともに、ディジタルテレビジョン放送信号をディジタル映像データおよびディジタル音声データに分離する。
【００１８】
操作スイッチ１１は、ＤＶＤレコーダ１００の前面パネルの右下段に設けられる各種操作ボタンである。また、図示しないリモコン装置に各種操作ボタンを設け、前面パネルに設けられた操作ボタンと同等の操作ができるようにしてもよい。
【００１９】
表示部１２は、操作スイッチ１１の情報に設けられた液晶ディスプレイ等の表示部であり、ＤＶＤレコーダ１００の動作状態や時刻情報等を表示する。
【００２０】
ＤＶＤドライブ１３は、ディスク状記憶媒体としての光ディスク（例えば、ＤＶＤ−ＲやＤＶＤ−ＲＷ）にディジタル映像音声データを記録したり、光ディスクに記録されている映像音声データを再生したりする。また、光ディスクにディジタル映像音声データを記録したり、光ディスクに記録されている映像音声データを再生したりするときは、このＤＶＤドライブ１３のトレイに光ディスクを装着する。
【００２１】
ＡＶエンコーダ１４は、ビデオデコーダ１６で復号化されたディジタル映像データ及びオーディオデコーダ１７で復号化されたディジタル音声データを、ＤＶＤドライブ１３に装着された光ディスクに記録可能な所定形式のディジタル映像音声データ（ＡＶデータ）に変換する。このとき、作業領域としてエンコード用メモリ１５が使用される。
【００２２】
ビデオデコーダ１６は、チューナブロック１０でテレビジョン放送信号から分離されたディジタル映像信号或いはＤＶＤドライブに装着された光ディスクから読み出されたディジタル映像信号に対して復号化処理を行う。そして、所定の映像信号に変換して映像出力端子からＰＤＰ（Plasma Display Panel）、ＣＲＴ（Cathode Ray Tube）、ＬＣＤ（Liquid Crystal Display）などの映像出力装置に出力する。
【００２３】
オーディオデコーダ１７は、チューナブロック１０でテレビジョン放送信号から分離されたディジタル音声信号或いはＤＶＤドライブに装着された光ディスクから読み出されたディジタル音声信号に対して、復号処理やサラウンド処理等の各種ディジタル音声処理を行う。例えば、入力されたディジタル音声信号がＡＡＣによるものである場合にはＡＡＣ音声の復号化処理を行い、ＰＣＭ音声によるものである場合にはＰＣＭ信号の生成処理を行う。そして、所定の音声信号に変換してＡＶアンプやスピーカ等の音声出力装置に出力する。
【００２４】
プリンタ１８は、印刷用トレイに装着された光ディスクの印刷面に対して、レーベル印刷を行う。なお、プリンタ１８の詳細な構成は省略するが、例えば、一般的なインクジェットプリンタの構成を適用することができる。光ディスクの印刷面にレーベル印刷するときは、このプリンタ１８のトレイに光ディスクを装着する。
【００２５】
印刷データ用メモリ１９は、プリンタ１８によりレーベル印刷するときに使用する印刷データが記録される。例えば、光ディスクのタイトル情報と、印刷データとが関連付けられて記録されており、同じタイトル情報を有するディスクには同じ印刷データでレーベル印刷できるようにしている。
【００２６】
また、制御部２０は、各部の制御および所定の演算を行いＤＶＤレコーダ１００の動作を制御するＣＰＵ２１と、ＣＰＵ２１の作業用メモリとして用いられるＲＡＭ２２と、ＣＰＵ２１で実行される制御用プログラム等が記録されたＲＯＭ２３と、で構成される。
【００２７】
上述したＤＶＤレコーダ１００において、チューナブロック１０で受信したテレビジョン放送信号を光ディスクに記録する場合は、ユーザによる録画操作に基づいて、操作スイッチ１１から録画指令が制御部２０に送信されたときに、制御部２０が録画処理のための制御手順を実行する。これにより、チューナブロック１０で受信したテレビジョン放送信号は所定形式のディジタル映像音声信号に変換され光ディスクに記録される。
【００２８】
一方、光ディスクに記録されている番組を再生する場合は、制御部２０が光ディスクに記録されている番組に関する情報（例えばタイトル情報）の一覧をＴＶモニタの画面にリスト形式で表示（メインメニュー）させて、ユーザによる番組選択・再生操作に基づいて、操作スイッチ１１から再生指令が制御部２０に送信されたときに、制御部２０が再生処理のための制御手順を実行する。これにより、光ディスクに記録されたディジタル映像音声データが制御部１１により読み出され、ＴＶモニタに再生映像が表示される。
【００２９】
さらに、本実施形態では、制御部２０は、印刷手段としてのプリンタ１８により光ディスクの印刷面にレーベル印刷する印刷データを生成する印刷データ生成手段、印刷データ生成手段により生成された印刷データに基づいてプリンタ１８の制御を行う印刷制御手段として機能する。具体的には、印刷データ生成手段としての制御部２０は、光ディスクに記録されている動画像データから抽出され、光ディスクの印刷可能領域（ドーナツ型）に対応した印刷範囲で切り出された静止画像データと、文字データと、を合成して印刷データを生成することができるようにしている。例えば、ユーザによる操作スイッチ１１からの入力信号に基づいて、上記印刷データは生成されることとなる。
【００３０】
図３は、プリンタ１８により光ディスクの印刷面にレーベル印刷を行う際の処理について示したフローチャートである。また、図４は、レーベル印刷処理の各ステップにおける表示画面例である。
【００３１】
まず、ステップＳ１０１で、ＤＶＤドライブ１３に光ディスクが装着されているか判定し、装着されている場合はステップＳ１０２に移行し、装着されていない場合はそのまま処理を終了する。
【００３２】
次に、ステップＳ１０２で、メニュー画面を表示する。例えば、光ディスクがＤＶＤドライブ１３に装着された上で、操作スイッチ１１のメニューボタンが操作されたときに、図４（ａ）に示すようなメニュー画面を表示する。図４（ａ）では、メニュー画面の一例として、「１．初期設定」「２．ディスク設定」「３．プリンタ設定」のうちの何れかを設定できるようにしている。
【００３３】
次いで、ステップＳ１０３で、図４（ａ）のメニュー画面において、「３．プリンタ設定」が選択されたか判定し、選択された場合はステップＳ１０４に移行し、選択されない場合はそのまま処理を終了する。例えば、「３．プリンタ設定」にカーソルＣＳＲを合わせた状態で、リモコン装置の決定ボタンを操作することで選択される。
【００３４】
ステップＳ１０４では、装着されている光ディスクからタイトル情報を読み出す。このタイトル情報とは、光ディスクを識別するために設定された光ディスクのタイトルである。一般には、光ディスクに記録されている番組に関連するタイトル（例えば番組名）がつけられると考えられる。
【００３５】
ステップＳ１０５では、ステップＳ１０４で読み出されたタイトル情報と、印刷データ用メモリ１９に格納されているタイトル情報とを比較し、当該タイトル情報に対応する印刷データが印刷データ用メモリ１９に記録されている場合は、その印刷データを読み出す。当該タイトル情報に対応する印刷データが印刷データ用メモリ１９に記録されていない場合は、そのままステップＳ１０６に移行する。
【００３６】
次いで、ステップＳ１０６で、画像選択を行う。具体的には、図４（ｂ）に示す画像選択画面を表示させ、ユーザが操作スイッチを操作することにより、印刷データとして用いられる静止画像データを設定できるようにする。図３（ｂ）では、１．光ディスクを再生して所望の場面を静止画像データとしてキャプチャする方法、２．ステップＳ１０５で読み出された印刷データを利用する方法、３．その他に印刷データ用メモリに格納されている印刷データを利用する方法の何れかを選択するようになっている。
【００３７】
ここでは、光ディスクに記録されている動画像データから静止画像データを設定する場合について説明する。図４（ｃ）に示すように、画面には光ディスクに記録されている動画像データが再生される。そして、ユーザは所望の場面でキャプチャ操作（例えば、一時停止ボタン→決定ボタン）を行う。
【００３８】
次いで、図４（ｄ）に示すように、キャプチャした静止画像から、光ディスクの印刷可能領域に対応した印刷範囲Ｐを設定して切り出し、これを静止画像データとする。例えば、リモコン装置のカーソルキーを操作することで、印刷範囲Ｐは上下左右に移動できる。
【００３９】
ステップＳ１０６の画像選択（静止がデータの設定）が終了すると、次いで、ステップＳ１０７で文字入力をする。例えば、図４（ｅ）に示すように、設定した静止画像データに重畳させて、文字情報Ｔ（図４（ｅ）では「Ｓｐｏｒｔｓ」）を入力して、文字データを設定する。例えば、ソフトウェアキーボードを利用して入力できるようにする。
【００４０】
また、当該光ディスクがタイトル情報を有するときは、これを文字情報として設定するようにしてもよい。つまり、レーベル印刷される文字データとしては、光ディスクに記録されている番組のタイトルが考えられるので、光ディスクにタイトル情報が記録されている場合は、このタイトル情報をレーベル印刷するときの文字データとして利用できるようにしている。これにより、ユーザがレーベル印刷用に文字データを入力する手間を省くことができ、容易に番組のタイトルをレーベル印刷させることができる。
【００４１】
ステップＳ１０６，Ｓ１０７で設定された静止画像データと文字データが、印刷データ生成手段により合成されて印刷データとされる。
【００４２】
次に、ステップＳ１０８でプリントイメージを表示する（図４（ｆ）参照）。そして、ステップＳ１０９で、このプリントイメージでよいか判定し、よい場合はステップＳ１１０に移行して印刷データ用メモリ１９に記録する。このとき、当該光ディスクにタイトル情報が付けられているときは、タイトル情報と印刷データを関連付けて記録する。
【００４３】
一方、ステップＳ１０９で、このプリントイメージではいけない場合には、ステップＳ１０６に移行して画像選択以降の処理を行う。
【００４４】
次いで、ステップＳ１１１でプリンタ１８のトレイに光ディスクが装着されているか判定する。このとき、図４（ｇ）に示すように、例えば、光ディスクをプリンタ１８のトレイに装着することを促す画面表示がなされるようにする。
【００４５】
そして、ステップＳ１１１で光ディスクがプリンタ１８のトレイに装着されていると判定した場合は、ステップＳ１１２に移行してレーベル印刷を行う。このとき、図４（ｈ）に示すように、例えば、光ディスクにレーベル印刷中であることを示す画面表示がなされるようにする。
【００４６】
以上説明したように、本実施形態のＤＶＤレコーダは、光ディスクにレーベル印刷可能な印刷機構を備え、また、光ディスクに記録されている動画像データから抽出され光ディスクの印刷可能領域に対応した印刷範囲で切り出された静止画像データと、文字データと、を合成してレーベル印刷に用いる印刷データを生成するようにしているので、ユーザは所望のレーベルを容易に作成することができるとともに、レーベル印刷により光ディスクに記録された情報（番組）を容易に認識することができる。
【００４７】
以上、本発明者によってなされた発明を実施形態に基づいて具体的に説明したが、本発明は上記実施形態に限定されるものではなく、その要旨を逸脱しない範囲で変更可能である。
例えば、上記実施形態では、光ディスクに記録されている動画像データから静止画像データを設定する場合について説明したが、予め印刷データ用メモリ１９に格納されている印刷データを利用することもできる。すなわち、印刷データを光ディスクのタイトル情報と関連付けて印刷データ用メモリに記録しておき、同じタイトル情報を有する光ディスクには、同じ印刷データに基づいてレーベル印刷できるようにする。同じ番組（例えば、ドラマ等）が記録されている光ディスクには、同じレーベルを印刷した方が好ましい場合があるので、このような場合に特に有効である。
【００４８】
また、このとき、印刷データのうち、背景となる静止画像データを同じにし、文字データを変更できる（例えば、ドラマの第○話だけを変更可能）ようにしてもよい。例えば、ドラマが記録された光ディスクにおいて第○話だけを変更したり、サッカー等の試合が記録された光ディスクにおいて対戦チームだけを変更したりすることが可能となる。
【００４９】
また、上記実施形態では、印刷データ用メモリ１９に印刷データを記憶させ、これを他の光ディスクのレーベル印刷を行うときに利用できるようにしているが、ＤＶＤディスクドライブ１３に装着されたＤＶＤや、その他の可搬型メディアに印刷データを記録できるようにし、これを他の光ディスクのレーベル印刷に利用できるようにしてもよい。
【図面の簡単な説明】
【００５０】
【図１】本発明の一実施形態に係るＤＶＤレコーダの構成を示すブロック図である。
【図２】本実施形態にかかるＤＶＤレコーダ１００の外観図である。
【図３】光ディスク記録再生装置のレーベル印刷処理を示すフローチャートである。
【図４】光ディスクへのレーベル印刷処理時の画面表示例である。
【符号の説明】
【００５１】
１０  チューナブロック
１１  操作スイッチ
１２  表示部
１３  ＤＶＤドライブ
１４  ＡＶエンコーダ
１５  エンコード用メモリ
１６  ビデオデコーダ
１７  オーディオデコーダ
１８  プリンタ（印刷手段）
１９  印刷データ用メモリ
２０  制御部（印刷データ生成手段，印刷制御手段）
【図１】
2007317327.tif 000003
【図２】
2007317327.tif 000004
【図３】
2007317327.tif 000005
【図４】
2007317327.tif 000006